(57)【要約】【課題】  ２つのレンズユニットからなる光学ユニットにおいてノイズ光を低減させ、画像読取装置等においては、読取画像の劣化、Ｓ／Ｎの低下、ＭＴＦ劣化、色再現性の劣化のない良好な画像を得ることができるようにする。【解決手段】  レンズ２１は前群レンズ２３と後群レンズ２４の２つのレンズユニットからなり、後群レンズ２４の後方にＣＣＤ２２が位置する。組み立て状態の時に、前群レンズ２３と後群レンズ２４の間に隙間２８ができていると、この隙間２８から光が入り込み、不具合が発生するので、ノイズ光あるいはフレア光を遮断するため、筒状の遮光部材３０を前群レンズ２３と後群レンズ２４の内側に両方にまたがるように配設する。この遮光部材３０により、前群レンズ２３と後群レンズ２４の隙間２８からは外光が侵入できなくなる。【選択図】        図６
2006352761.tif 000002
【特許請求の範囲】
【請求項１】
第１のレンズユニットと、第２のレンズユニットと、これら第１、第２のレンズユニットの位置を決定するためのレンズブロックと、前記第１、第２のレンズユニットの間で遮光する遮光部材を有することを特徴とする光学ユニット。
【請求項２】
請求項１の光学ユニットにおいて、前記第１のレンズユニットと第２のレンズユニットを通過した光を光電変換する光電変換手段を有することを特徴とする光学ユニット。
【請求項３】
請求項２の光学ユニットにおいて、前記光電変換手段の入出力信号を制御する回路を実装した基板を備えることを特徴とする光学ユニット。
【請求項４】
請求項１から３のいずれかの光学ユニットにおいて、前記遮光部材が、前記第１、第２のレンズユニットの間に在る隙間を外側から覆うものであることを特徴とする光学ユニット。
【請求項５】
請求項４の光学ユニットにおいて、前記遮光部材が、前記第１、第２のレンズユニットの光軸方向にそって２分割もしくはそれ以上に分割してなるものであることを特徴とする光学ユニット。
【請求項６】
請求項４または５の光学ユニットにおいて、前記遮光部材が、筒状ものであることを特徴とする光学ユニット。
【請求項７】
請求項１から３のいずれかの光学ユニットにおいて、前記遮光部材が、前記第１、第２のレンズユニットのいずれか一方の胴部を他方側へ延設して該他方側のレンズユニットの胴部の少なくとも前記隙間側の端部を外側から覆うものであることを特徴とする光学ユニット。
【請求項８】
請求項７の光学ユニットにおいて、前記遮光部材が、筒状ものであることを特徴とする光学ユニット。
【請求項９】
請求項４の光学ユニットにおいて、前記遮光部材が、前記第２のレンズユニットと前記光電変換手段との間でも遮光するように設けたことを特徴とする光学ユニット。
【請求項１０】
請求項９の光学ユニットにおいて、前記遮光部材が、カバー状のものであることを特徴とする光学ユニット。
【請求項１１】
請求項１から１０のいずれかの光学ユニットにおいて、前記第１、第２のレンズユニットを、前記レンズブロックに対してそれぞれ光軸方向へスライド可能に搭載することを特徴とする光学ユニット。
【請求項１２】
請求項１から１１のいずれかの光学ユニットを用いてなることを特徴とする画像読取装置。
【請求項１３】
請求項１から１１のいずれかの光学ユニットを用いてなることを特徴とする画像形成装置。
【請求項１４】
請求項１３の画像読取装置を用いたことを特徴とする画像形成装置。
【請求項１５】
光線が通過する透過面を有する光学要素と、該透過面を通過した光線を受けて光電変換する光電変換部材と、該光電変換部材の入出力信号を制御する回路を実装した基板を備えた画像読取ユニットにおいて、前記光学要素は、前群レンズユニットと後群レンズユニットの２つのレンズユニットからなり、これらレンズユニットのそれぞれの位置と前記光電変換部材の位置とを調整して固定するためのレンズブロックを有し、該レンズブロックの開口部に、前記前群レンズと後群レンズの隙間を円周方向に覆う遮光部材を備えたことを特徴とする画像読取ユニット。
【請求項１６】
請求項１５の画像読取ユニットにおいて、前記遮光部材が、前記前群レンズユニット及び前記後群レンズユニットの光軸方向にそって２分割してなるものであることを特徴とする光学ユニット。備えたことを特徴とする画像読取ユニット。
【請求項１７】
請求項１５の光学ユニットにおいて、前記遮光部材が、前記前群レンズユニットの胴部を前記後群レンズユニット側へ延設して該前記後群レンズユニットの胴部の少なくとも前記隙間側の端部を外側から覆うものであることを特徴とする画像読取ユニット。
【請求項１８】
請求項１７の画像読取ユニットにおいて、前記遮光部材が、筒状ものであることを特徴とする画像読取ユニット。
【請求項１９】
請求項１５の画像読取ユニットにおいて、前記遮光部材が、前記後群レンズユニットと前記光電変換部材との間でも遮光するように設けたことを特徴とする画像読取ユニット。
【請求項２０】
請求項１９の画像読取ユニットにおいて、前記遮光部材が、カバー状のものであることを特徴とする画像読取ユニット。
【請求項２１】
請求項１５から２０のいずれかの画像読取ユニットにおいて、前記前群レンズユニット及び前記後群レンズユニットを、前記レンズブロックに対してそれぞれ光軸方向へスライド可能に搭載することを特徴とする画像読取ユニット。
【請求項２２】
請求項１５から２１のいずれかの画像読取ユニットを用いてなることを特徴とする画像形成装置。
【発明の詳細な説明】
【技術分野】
【０００１】
本発明は、光学ユニット、画像読取ユニット、画像読取装置、これらを用いた画像形成装置に関し、詳細には２分割レンズの遮光技術と、この技術を応用したものに関する。
【背景技術】
【０００２】
画像形成装置で用いる画像読取装置あるいは画像読取ユニットでは、例えば図１に示すように、レンズ２１と光電変換素子（以下、ＣＣＤ）２２からなる構成のものが多く採用されている。レンズ２１は前群レンズ２３と後群レンズ２４の２つのレンズユニットからなり、後群レンズ２４の後方にＣＣＤ２２が位置するようになっている。また画像読取装置内では、ピントや倍率を調整接着するためにレンズブロック２５を設けるようになっており、前群レンズ２３、後群レンズ２４及びＣＣＤ２２を組立調整治具（図示せず）によってそれらの位置を調整決定し、一般的にはその後に保持部材２６・・・を介してレンズブロック２５と接着固定している。なお図中２７はＣＣＤ２２の基板である。また２９はレンズブロック２５に設けた開口部である。
【０００３】
すなわち、近年ではＣＣＤ２２の画素の大きさが技術の進歩と共に、１０μｍ、７μｍ、４．７μｍと小さくなってきている。それに伴って、ＣＣＤ２２に照射される光の量も減少し、これまでとノイズ光が同量であると、相対的に有効な画像結像光に対するノイズ光の割合が高くなり、種々の不具合が出やすくなる傾向にある。また、白黒ＣＣＤに対してカラー３ラインＣＣＤでは、ノイズ光のわずかな変化がＲＧＢバランスを崩すこととなり、いっそう不具合が出やすく、敏感に反応してしまう傾向がある。そして、ＣＣＤ２２の画素の大きさが小さくなってきたことに伴って、レンズ群の間隔調整を厳密に行うことが必要になってきている。そして、レンズ群の間隔調整をより厳密に行えるようにするため、上述のようにレンズ群を二つに分ける技術が提案、実施されているのである。
【発明の開示】
【発明が解決しようとする課題】
【０００４】
ところで上述のような構成の光学ユニット、画像読取装置では、前群レンズ２３と後群レンズ２４の間に隙間２８があると、そこから光が入り込み、上述したような不具合が発生することが本願発明者の研究の結果分かった。すなわち、前群レンズ３と後群レンズ４を通らない迷光（フレア光）がＣＣＤ２に入射し、光ノイズとして読取画像の劣化、Ｓ／Ｎの低下、ＭＴＦ劣化、色再現性の劣化などの不具合を発生させるようになる。
【０００５】
そこで本発明は、前群レンズと後群レンズの２つのレンズユニットからなる基本構成を有する光学ユニットにおいてノイズ光を低減させることを技術課題とし、そのような光学ユニットを用いることにより、読取画像の劣化、Ｓ／Ｎの低下、ＭＴＦ劣化、色再現性の劣化のない良好な画像を得ることができる画像読取装置や画像形成装置を提供することを目的とする。
【課題を解決するための手段】
【０００６】
本発明の請求項１に係る光学ユニットは、第１のレンズユニットと、第２のレンズユニットと、これら第１、第２のレンズユニットの位置を決定するためのレンズブロックと、前記第１、第２のレンズユニットの間で遮光する遮光部材を有することを特徴とする。
【０００７】
同請求項２に係るものは、請求項１の光学ユニットにおいて、前記第１のレンズユニットと第２のレンズユニットを通過した光を光電変換する光電変換手段を有することを特徴とする。
【０００８】
同請求項３に係るものは、請求項２の光学ユニットにおいて、前記光電変換手段の入出力信号を制御する回路を実装した基板を備えることを特徴とする。
【０００９】
同請求項４に係るものは、請求項１から３のいずれかの光学ユニットにおいて、前記遮光部材が、前記第１、第２のレンズユニットの間に在る隙間を外側から覆うものであることを特徴とする。
【００１０】
同請求項５に係るものは、請求項４の光学ユニットにおいて、前記遮光部材が、前記第１、第２のレンズユニットの光軸方向にそって２分割もしくはそれ以上に分割してなるものであることを特徴とする。
【００１１】
同請求項６に係るものは、請求項４または５の光学ユニットにおいて、前記遮光部材が、筒状ものであることを特徴とする。
【００１２】
同請求項７に係るものは、請求項１から３のいずれかの光学ユニットにおいて、前記遮光部材が、前記第１、第２のレンズユニットのいずれか一方の胴部を他方側へ延設して該他方側のレンズユニットの胴部の少なくとも前記隙間側の端部を外側から覆うものであることを特徴とする。
【００１３】
同請求項８に係るものは、請求項７の光学ユニットにおいて、前記遮光部材が、筒状ものであることを特徴とする。
【００１４】
同請求項９に係るものは、請求項４の光学ユニットにおいて、前記遮光部材が、前記第２のレンズユニットと前記光電変換手段との間でも遮光するように設けたことを特徴とする。
【００１５】
同請求項１０に係るものは、請求項９の光学ユニットにおいて、前記遮光部材が、カバー状のものであることを特徴とする。
【００１６】
同請求項１１に係るものは、請求項１から１０のいずれかの光学ユニットにおいて、前記第１、第２のレンズユニットを、前記レンズブロックに対してそれぞれ光軸方向へスライド可能に搭載することを特徴とする。
【００１７】
本発明の請求項１２に係る画像読取装置は、請求項１から１１のいずれかの光学ユニットを用いてなることを特徴とする。
【００１８】
本発明の請求項１３に係る画像形成装置は、請求項１から１１のいずれかの光学ユニットを用いてなることを特徴とする。
【００１９】
本発明の請求項１４に係る画像形成装置は、請求項１３の画像読取装置を用いたことを特徴とする。
【００２０】
本発明の請求項１５に係る画像読取ユニットは、光線が通過する透過面を有する光学要素と、該透過面を通過した光線を受けて光電変換する光電変換部材と、該光電変換部材の入出力信号を制御する回路を実装した基板を備えた画像読取ユニットにおいて、前記光学要素は、前群レンズユニットと後群レンズユニットの２つのレンズユニットからなり、これらレンズユニットのそれぞれの位置と前記光電変換部材の位置とを調整して固定するためのレンズブロックを有し、該レンズブロックの開口部に、前記前群レンズと後群レンズの隙間を円周方向に覆う遮光部材を備えたことを特徴とする。
【００２１】
同請求項１６に係るものは、請求項１５の画像読取ユニットにおいて、前記遮光部材が、前記前群レンズユニット及び前記後群レンズユニットの光軸方向にそって２分割してなるものであることを特徴とする光学ユニット。備えたことを特徴とする。
【００２２】
同請求項１７に係るものは、請求項１５の光学ユニットにおいて、前記遮光部材が、前記前群レンズユニットの胴部を前記後群レンズユニット側へ延設して該前記後群レンズユニットの胴部の少なくとも前記隙間側の端部を外側から覆うものであることを特徴とする。
【００２３】
同請求項１８に係るものは、請求項１７の画像読取ユニットにおいて、前記遮光部材が、筒状ものであることを特徴とする。
【００２４】
同請求項１９に係るものは、請求項１５の画像読取ユニットにおいて、前記遮光部材が、前記後群レンズユニットと前記光電変換部材との間でも遮光するように設けたことを特徴とする。
【００２５】
同請求項２０に係るものは、請求項１９の画像読取ユニットにおいて、前記遮光部材が、カバー状のものであることを特徴とする。
【００２６】
同請求項２１に係るものは、請求項１５から２０のいずれかの画像読取ユニットにおいて、前記前群レンズユニット及び前記後群レンズユニットを、前記レンズブロックに対してそれぞれ光軸方向へスライド可能に搭載することを特徴とする。
【００２７】
同請求項２２に係る画像形成装置は、請求項１５から２１のいずれかの画像読取ユニットを用いてなることを特徴とする。
【発明の効果】
【００２８】
本発明は、２つのレンズユニットからなる基本構成を有する光学ユニットにおいてノイズ光を低減させることができ、それにより、画像読取ユニット、画像読取装置、これらを用いた画像形成装置においては、読取画像の劣化、Ｓ／Ｎの低下、ＭＴＦ劣化、色再現性の劣化のない良好な画像を得ることができるようになる。
【発明を実施するための最良の形態】
【００２９】
以下本発明を実施するための最良の形態を、図に示す実施例を参照して説明する。
【実施例１】
【００３０】
図２は本発明に係る光学ユニットを含む画像読取装置を用いた画像形成装置の一例の概要を示す断面図である。図において符号１００は画像形成部、２００は給紙部、３００は本発明の画像読取装置からなる画像読取部、４００は原稿給紙部をそれぞれ示す。
【００３１】
原稿給紙部４００においては、自動もしくは手動によって原稿を画像読取部３００の直上へ送り込む。画像読取部３００は、後述する第１キャリッジ５及び第２２キャリッジ６を所定の速度で副走査方向に駆動し、レンズユニット７によって原稿像を図示しないセンサに取り込む。画像形成部１００は、読み取った画像の色別分解された情報を基に、複数の感光体に色分けして画像形成し、給紙部２００から送られてくる転写用紙に画像を重ね転写してフルカラーのハードコピーを作成する。なお、図２では画像形成装置を例に説明したが、例えば、原稿給紙部４００と画像読取部３００を基本構成として備えるファクシミリ装置等でも本発明に係る光学ユニット、画像読取装置を用い得る。
【００３２】
図３は本発明に係る画像読取装置の主な構成要素を示す斜視図である。図において符号１は本体フレーム、２は駆動軸、３は駆動ワイヤ、４はワイヤ駆動プーリ、５は第１キャリッジ、６は第２キャリッジ、７はレンズユニットをそれぞれ示す。
【００３３】
この画像読取装置は、装置の筐体である本体フレーム１の中に、図示を省略した第１レールと、図示した第２レール８を有し、第１レールには第１キャリッジ５が、第２レール８には第２キャリッジ６がそれぞれ摺動可能に配してある。また図示しないモータに連結した駆動軸２に、ワイヤ駆動プーリ４が取り付けてあり、駆動ワイヤ３を巻装してある。駆動ワイヤ３は第１キャリッジ５用と第２キャリッジ６用の２本を用いるが、図３では第２キャリッジ６用の駆動ワイヤ３のみ図示してある。この駆動ワイヤ３は、第２キャリッジ６に取り付けたキャリッジプーリや本体フレーム１の端部近くに設けたアイドラプーリを経由する構成になっているが、図示は省略してある。またこれも図示していないが、駆動モータは図３の奥側に配してある。
【００３４】
第１キャリッジ５には光源としての管状ランプ５ａが設けてあり、ワイヤ駆動プーリ４と第２キャリッジ６との間に配置してある。第１キャリッジ５が駆動ワイヤに引かれて所定の速度ｖで移動すると、管状ランプ５ａ直上の図示しない画像読取領域を構成するコンタクトガラスの平面上におかれた原稿を副走査する。原稿からの反射光束は、これも図示しない第１ミラーによって所定の方向、すなわち第２キャリッジ６に向けて反射される。反射光束は第２キャリッジ６の第２ミラーと図示しない第３ミラーによって折り返され、レンズユニット７に入射する。レンズユニット７に含まれる結像レンズによって反射光束は焦点面におかれた図示しない画像読取センサ上に集光結像され、これにより、読取センサは管状ランプ５ａに沿った原稿上の線状部分を主走査する。
【００３５】
第２キャリッジ６は、上記の２枚のミラーによる光束の折り返しに伴う光路の重複分を相殺するため、第１キャリッジ５の半分の速度、すなわちｖ／２の速度で第１キャリッジ５と同方向に移動する。この移動速度の関係により、キャリッジの移動があっても、原稿面からレンズユニットまでの光束の光路長が変化しないようになっている。
【００３６】
第２キャリッジ６は第１キャリッジ５に比べて走行範囲が半分であるため、第２レール８のワイヤ駆動プーリ４に近い側のほぼ半分は、第２キャリッジ６の走行に利用されない。しかし、利用されない部分を切り捨てると、第２レール８の平行度等に悪影響を与えるので、形は残すが、その代わり、ワイヤ駆動プーリ４の駆動軸２をその領域に配置し、しかも、第２レール８のレール面と一部重なるような配置をすることができる。実際には重複部分はレールの方の形状を変化させて、駆動軸２の回転に支障を来さないようにする。
【００３７】
なお駆動軸２の上端の位置を従来は第１、第２レールのレール面より下側になるように配置していたが、本実施例のように、駆動軸２の上端が少なくとも上記レール面より下側にならないように配置することによって、ワイヤ駆動プーリ４を従来の位置より原稿面側に近づけることができるようになり、装置の小型化に寄与できる。
【００３８】
レンズユニット７は、第１キャリッジ５がその上を走行できるよう配置してあるが、原稿からの反射光束を受ける関係で第２キャリッジ６の走行領域よりは外側に配置しなければならない。従来は、駆動軸２の高さ方向の位置が第２レール８のレール面より下であったため、ワイヤ駆動プーリ４と図示しないアイドラプーリの高さ方向の距離が大きく、ワイヤの這い回しの関係であまりワイヤ駆動プーリ４をアイドラプーリに近づけることができなかったが、本実施例では駆動軸２の位置が第２レール８の上面と干渉する位置まで高くすることができるので、高さ方向に関してワイヤ駆動プーリ４をアイドラプーリに対していっそう近づけることができる。
【００３９】
図４は第２キャリッジ６用の駆動ワイヤ３とプーリの関係を説明するための模式図である。同図（Ａ）は側面図、同図（Ｂ）は駆動ワイヤ３の連結状態を上から見た状態で示す図であり、（Ａ）は装置本体の奥側に位置する駆動ワイヤ３を示し、図（Ｂ）は図３に示す装置本体の手前側に位置する駆動ワイヤ３を示している。この図において符号９は張力スプリング、１０はキャリッジプーリ、１１、１２はアイドラプーリ、３ａ〜３ｆは固定部とプーリ間あるいはプーリ相互間に展張されている駆動ワイヤ３の各部分をそれぞれ示す。
【００４０】
駆動ワイヤ３は、ワイヤ駆動プーリ４に巻き付けて左方向及び右方向に延びる２つの系統がある。左方向に延びる駆動ワイヤの部分３ａは、軸をフレーム１に固定したアイドラプーリ１１によって折り返されて部分３ｂとなり、外側キャリッジプーリ１０ｂに至り、再びここで折り返されて部分３ｃとなってフレーム１に端部を固定してある。右方向に延びる駆動ワイヤ３の部分３ｄは、軸をフレーム１に固定したアイドラプーリ１２によって折り返されて部分３ｅとなって内側キャリッジプーリ１０ａに至り、再びここで折り返されて部分３ｆとなって張力付与用の張力スプリング９を介して装置本体に固定してある。このワイヤ駆動プーリ４の回転によって、キャリッジプーリ１０が第２キャリッジ６と共に第２レール８に沿って左右に移動するので、キャリッジ１０に直接関与するワイヤ部分３ｂと部分３ｃは第２レールに対して平行になるよう設定してある必要がある。第２キャリッジの移動に伴う等速性が保証できなくなるためである。同様の理由により、部分３ｅと部分３ｆも第２レールに対して平行になるよう設定する。これに対して、ワイヤ駆動プーリ４と軸固定のアイドラプーリ１１（あるいは１２）の間は、プーリの位置の移動が無いので、部分３ａ、部分３ｄは第２レールに対する平行性を要求されない。なお内側キャリッジプーリ１０ａと外側キャリッジプーリ１０ｂは同心で一体に形成した２重溝プーリである。
【００４１】
２個のアイドラプーリ１１、１２の軸は傾斜させて取り付けてあり、キャリッジプーリ１０の軸も傾斜させて取り付けてある。ただし、アイドラプーリとキャリッジプーリの傾斜方向は互いに逆方向になっている。すなわち、ワイヤ駆動プーリ４の駆動軸２が水平に設定してあるとして、アイドラプーリ１１、１２はその軸が本体内側の方が低くなるよう傾斜設定してあるのに対し、キャリッジプーリ１０の軸は本体外側の方が低くなるように傾斜設定してある。
【００４２】
駆動ワイヤ３の部分３ａは、ワイヤ駆動プーリ４の回転に伴って、巻き付け開始位置が軸方向に僅かに移動する。部分３ａが最も第２キャリッジに近づいたとき、従来の方法ではワイヤとキャリッジが接触してしまう。そのため、アイドラプーリ１１を傾斜させて部分３ａとキャリッジプーリ１０とを離すことにより、ワイヤとキャリッジが接触することのないようにしている。
【００４３】
図５は装置奥側の各プーリの位置関係を駆動ワイヤ展張方向から見た図である。図において符号１３は駆動モータ、１４は駆動ベルトプーリ、１５は駆動ベルト、Ａ、Ｂはプーリ軸が水平より下がる側を示す矢印をそれぞれ示す。
【００４４】
駆動ベルトプーリ１４は水平に設定した駆動モータ１３の出力軸１３ａに固定してある。駆動ベルト１５は駆動ベルトプーリ１４と従動ベルトプーリ１６との間に掛け渡してある。従動ベルトプーリ１６はワイヤ駆動プーリ４とともに駆動軸２に同軸固定してある。駆動モータ１３の任意方向の回転に伴い、ワイヤ駆動プーリ４が対応する方向に回転し、駆動ワイヤ３が同図において紙面と直交する方向に移動する。
【００４５】
この図５において右方向が装置の中心側である。ワイヤ駆動プーリ４の駆動軸２は水平設定であるが、アイドラプーリ１１は矢印Ａで示すように、装置内側に向かって低くなるように配置してある。これに対し、キャリッジプーリ１０は矢印Ｂで示すように、装置外側に向かって低くなるように配置してある。それぞれのプーリの中心位置は、駆動軸２の方向に沿って、装置外側から内側に向かってワイヤ駆動プーリ４、アイドラプーリ１１、キャリッジプーリ１０の順に配置されている。
【００４６】
またワイヤ駆動プーリ４の上端は、第１アイドラプーリ１１の下端より上に位置している。これは装置全体を低く構成するための条件である。ただし、ワイヤ駆動プーリ４の上端は、第１アイドラプーリの上端よりは下に位置している。これは駆動ワイヤ３とワイヤ駆動プーリ４が干渉しないようにするための条件である。これらの関係は第２アイドラプーリ１２に関しても同様である。
【００４７】
駆動ワイヤ３をワイヤ駆動プーリ４からアイドラプーリ１１に掛け渡すに当たって、駆動ワイヤ３がワイヤ駆動プーリ４のほぼ接線上にあり、その延長上にアイドラプーリの巻き付き開始点が存在するように配置する。実際には、ワイヤ駆動プーリ４に対する駆動ワイヤ３の巻き付き開始位置（ワイヤを接線と見なしたときの接点に相当する）は軸方向に若干移動するので、前記条件は平均的な位置におけるものとする。
【００４８】
駆動ワイヤ３をアイドラプーリ１１とキャリッジプーリ１０の間に掛け渡す場合は、駆動ワイヤ３が両プーリの接線上に位置するように配置する。換言すれば、駆動ワイヤ３はキャリッジプーリ１０とアイドラプーリ１１の共通外接線に一致して位置している。したがって、両プーリに対する巻き付き開始位置は同図において同一点に重なっている。なお、ワイヤ駆動プーリ４、キャリッジプーリ１０の他の部分の駆動ワイヤ３は省略してある。前記関係はアイドラプーリ１２に関しても全く同じことが言える。
【００４９】
このような構成にすることにより、上下方向に見たワイヤの重なりが少ないので、ワイヤ巻き付け作業が簡単になる。またこの構成によれば、駆動ワイヤ３には無理な力が掛かることなく、安定した駆動力伝達ができる。さらに、プーリが傾斜配置してあるため、画像読取装置の高さが小さくできる。
【００５０】
図６は本発明に係る光学ユニットと、これを用いた画像読取ユニットあるいは画像読取装置の基本構成的な実施例を示す断面図である。この図６は、従来の図１（Ｂ）に相当する主たる構成を有し、図中の符号は対応させて付してある。また図６に示していない要素についても、図１と共通する符号を付して説明してある。
【００５１】
この例でもレンズ２１は前群レンズ２３と後群レンズ２４の２つのレンズユニットからなり、後群レンズ２４の後方にＣＣＤ２２が位置するようになっており、レンズブロック２５を用い、前群レンズ２３、後群レンズ２４及びＣＣＤ２２を組立調整してそれらの位置を調整決定し、その後に保持部材２６・・・を介してレンズブロック２５と接着固定してある。図１には示してあるが、前群レンズ２３、後群レンズ２４は、レンズブロック２５の開口部２９を利用して設置するようになっている。
【００５２】
既述のように、本願発明者の研究によれば、前記組み立て状態の時、前群レンズ２３と後群レンズ２４の間に隙間２８ができていると、この隙間２８から光が入り込み、前述の不具合が発生するので、本例ではノイズ光あるいはフレア光を遮断するため、図示の筒状の遮光部材３０を前群レンズ２３と後群レンズ２４の内側に両方にまたがるように配設している。なお前群レンズ２３と後群レンズ２４と遮光部材３０には、スライドできるようにするだけのわずかな隙間が生じるようにして、前記した位置調整には支障をきたさない構成とする。この遮光部材３０により、前群レンズ２３と後群レンズ２４の隙間２８からは外光が侵入できなくなり、上述の不具合が発生することを防止できる。
【実施例２】
【００５３】
図７は、本発明に係る光学ユニットと、これを用いた画像読取ユニットあるいは画像読取装置の第２実施例を示す断面図である。この図の実施例は、遮光部材３０を、上下に分割して上遮光部材３０ａ、下遮光部材３０ｂとすることによって、調整時にレンズ２１にセットしておく必要が無くなり、レンズブロック２５の開口部２９から簡単に取り付けることができるようになる。なお図では上遮光部材３０ａのフランジに穴３１を開け、下遮光部材３０ｂのフランジにピン３２を設け、組み立て時には穴３１にピン３２が嵌着するようにして両者を一体化する構成としてあるが、もちろんその他の構成であって良い。また図示の例は上下２分割の例のみであるが、さらに多数に分割しても良く、また分割形態も左右あるいは上下、左右以外の分割としても良く、図示の例には限定されない。
【実施例３】
【００５４】
図８は、本発明に係る光学ユニットと、これを用いた画像読取ユニットあるいは画像読取装置の第３実施例を示す断面図である。本実施例は、別部材の遮光部材を用いず、図示のように前群レンズ２３の後ろ側を筒状に延長して遮光部２３ａを形成し、調整位置で後群レンズ２４とスライドしながら係合する構成としてある。この構成とすることにより組立の手間が省け、部品代の低減も図れる。なお、後群レンズ２４の前側を筒状に延長して遮光部を形成しても良いが、一般には前群レンズ２３のほうが筒径が大きいので、図示の形態のように、遮光部の光入側よりも出側のほうが高さが低くなるように構成した方が望ましいと言える。
【実施例４】
【００５５】
図９は、本発明に係る光学ユニットと、これを用いた画像読取ユニットあるいは画像読取装置の第４実施例を示す斜視図（Ａ）と断面図（Ｂ）である。本実施例は、図示のように、前群レンズ２３と後群レンズ２４の間の隙間２８だけでなく、後群レンズ２４とＣＣＤ２２との間をも覆うように箱状のあるいは上カバー状の遮光部材４０を備える構成とすることにより、ＣＣＤ２２に入射する迷光をも遮断することができるようにしてある。
【００５６】
なお本実施例の遮光部材４０は、レンズブロック２５の下側においては隙間２８を覆っていないが、例えば別体の遮光部材を用意してレンズブロック２５の下側をも覆うようにしても良い。別体の遮光部材は、レンズブロック２５の下側の隙間２８とその近傍だけを覆うタイプの、例えば図７に示す下遮光部材３０ｂのようなものであっても良い。
【００５７】
以上説明してきた実施例では、筒状、箱状あるいはカバー状のもののみ示したが、その他の形態のものであって良く、図示の形状、構造のものには限定されない。
【図面の簡単な説明】
【００５８】
【図１】画像形成装置で用いる画像読取装置あるいは画像読取ユニットの従来例の断面図
【図２】本発明に係る光学ユニットを含む画像読取装置を用いた画像形成装置の一例の概要を示す断面図
【図３】本発明に係る画像読取装置の主な構成要素を示す斜視図
【図４】第２キャリッジ用の駆動ワイヤとプーリの関係を説明するための模式図
【図５】装置奥側の各プーリの位置関係を駆動ワイヤ展張方向から見た図
【図６】本発明に係る光学ユニットと、これを用いた画像読取ユニットあるいは画像読取装置の基本構成的な実施例を示す断面図
【図７】本発明に係る光学ユニットと、これを用いた画像読取ユニットあるいは画像読取装置の第２実施例を示す断面図
【図８】本発明に係る光学ユニットと、これを用いた画像読取ユニットあるいは画像読取装置の第３実施例を示す断面図
【図９】本発明に係る光学ユニットと、これを用いた画像読取ユニットあるいは画像読取装置の第４実施例を示す斜視図（Ａ）と断面図（Ｂ）
【符号の説明】
【００５９】
７  レンズユニット
２１  レンズ
２２  光電変換素子（ＣＣＤ）
２３  前群レンズ
２３ａ  遮光部
２４  後群レンズ
２５  レンズブロック
２６  保持部材
２７  ＣＣＤの基板
２９  レンズブロックの開口部
３０  遮光部材
３０ａ  上遮光部材
３０ｂ  下遮光部材
３１  穴
３２  ピン
４０  遮光部材
【図１】
2006352761.tif 000003
【図２】
2006352761.tif 000004
【図３】
2006352761.tif 000005
【図４】
2006352761.tif 000006
【図５】
2006352761.tif 000007
【図６】
2006352761.tif 000008
【図７】
2006352761.tif 000009
【図８】
2006352761.tif 000010
【図９】
2006352761.tif 000011